(57)【要約】【課題】別のレーザマーカ等を使用する必要も、また現像前に入れ替え可能なマスクを使用する必要もなく、ロット番号等の記録がなされる記録装置を提供する。【解決手段】受像支持体と転写フィルムを固定する記録媒体固定部材と、光学的又は熱的記録手段と、前記記録媒体固定部材と前記記録手段とを平面上で相対移動させる相対移動手段と、を備えた記録装置において、画像データを記憶する画像データ記憶手段と、当該画像データを特定する画像特定情報データを記憶する画像特定情報データ記憶手段とを、備え、記録時に記録手段が前記画像データ記憶手段内の画像データで前記受像支持体に記録すると同時に、前記画像特定情報データ記憶手段から当該画像を特定する画像特定情報データを取りだして、該画像特定情報データで前記受像支持体の非記録部に記録する。【選択図】　図２
2004098560.tif 000002
【特許請求の範囲】
【請求項１】
受像支持体と転写フィルムを重ね合わせ、光学的又は熱的記録手段で画像を記録する記録方法において、
前記画像を記録すると共に、該画像を特定する画像特定情報を前記受像支持体の非記録部分に同時に記録することを特徴とする記録方法。
【請求項２】
前記画像はパターンであり、前記画像特定情報はロット番号、シリアル番号、バーコードの１つ以上であることを特徴とする請求項１記載の記録方法。
【請求項３】
受像支持体と転写フィルムを固定する記録媒体固定部材と、光学的又は熱的記録手段と、前記記録媒体固定部材と前記記録手段とを平面上で相対移動させる相対移動手段と、を備えた記録装置において、
画像データを記憶する画像データ記憶手段と、当該画像データを特定する画像特定情報データを記憶する画像特定情報データ記憶手段とを、備え、記録時に記録手段が前記画像データ記憶手段内の画像データで前記受像支持体に記録すると同時に、前記画像特定情報データ記憶手段から当該画像を特定する画像特定情報データを取りだして、該画像特定情報データで前記受像支持体の非記録部に記録することを特徴とする記録装置。
【発明の詳細な説明】
【０００１】
【発明の属する技術分野】
本発明は、ガラス基板やＰＥＴ基板にカラーフィルタや電気回路配線などのパターンを形成するための記録方法および装置に関するものであり、特に、ロット番号やシリアル番号などの付されたパターンの形成に関する。
【０００２】
【従来の技術】
ガラス基板にカラーフィルタを形成する従来公知の技術としては、特許文献１〜３に記載のようなものがあった。
【０００３】
【特許文献１】
特開２００１−３４３５１６号公報
【特許文献２】
特開２００１−３４３５１６号公報
【特許文献３】
特開２００１−０２１８７８号公報
【０００４】
上記特許文献等では、従来、ガラス基板やＰＥＴ基板等の受像支持体にカラーフィルタを形成する方法としては、次のａ〜ｆの順で行われていた。
ａ．ガラス基板全面に１色目の顔料をスピンコータ等で塗布して乾燥させる。
ｂ．カラーフィルターパターンが形成されたマスクをガラス基板に近接させる。
ｃ．ＵＶランプ等を用いた平行光（面）露光機で、マスク側から露光し、マスクを除去する。
ｄ．ガラス基板を現像する。
ｅ．ネガ型材料であれば、露光された部分がガラス基板上に１色目が残る。
ｆ．２色目以降、同様に繰り返す。
このようにして、カラーフィルタが得られた。
【０００５】
その後、ガラス基板等にロット番号やシリアル番号を記録することがある。
例えば、品質管理等のため、ガラス基板にロット番号やシリアル番号を記録することがあるが、その場合は別のレーザマーカ等を使用し、ガラス基板や、カラーフィルタの一部に、ロット番号やシリアル番号やバーコードや２次元バーコードを書き込んでいた。
また、他の方法としては、本体のパターン露光の前または後で、現像前に、入れ替え可能なマスク（例えば、日付印のようなもの）を使用し、一緒に露光していた。
そして、これらのロット番号やシリアル番号の情報の使い方は、まずＣＣＤ等でロット番号やシリアル番号を読み込み、製品情報管理や欠陥情報管理に使用している。
【０００６】
ところが、以上のように行うロット番号やシリアル番号の記録方法には次のａ〜ｄのような問題点があった。
ａ．別のレーザマーカ等の装置が必要となる。
ｂ．この記録工程が加わることによる液晶パネルのコストアップとなる。
ｃ．製造ライン設備費が上昇し、必要設置面積がその分必要となる。
ｄ．また、工程が増えるので、異物等による歩留まり低下が予想される、
といったものであった。
【０００７】
本発明はこれらの課題を解決するもので、別のレーザマーカ等を使用する必要もなく、また現像前に入れ替え可能なマスクを使用する必要もないロット番号等の記録方法および装置を提供することにある。
【０００８】
【課題を解決するための手段】
上記課題を解決するため、請求項１記載の記録方法の発明は、受像支持体と転写フィルムを重ね合わせ、光学的又は熱的記録手段で画像を記録する記録方法において、前記画像を記録すると共に、該画像を特定する画像特定情報を前記受像支持体の非記録部分に同時に記録することを特徴とする。
請求項２記載の発明は、請求項１記載の記録方法において、前記画像はパターンであり、前記画像特定情報はロット番号、シリアル番号、バーコードの１つ以上であることを特徴とする。
請求項３記載の記録装置の発明は、受像支持体と転写フィルムを固定する記録媒体固定部材と、光学的又は熱的記録手段と、前記記録媒体固定部材と前記記録手段とを平面上で相対移動させる相対移動手段と、を備えた記録装置において、画像データを記憶する画像データ記憶手段と、当該画像データを特定する画像特定情報データを記憶する画像特定情報データ記憶手段とを、備え、記録時に記録手段が前記画像データ記憶手段内の画像データで前記受像支持体に記録すると同時に、前記画像特定情報データ記憶手段から当該画像を特定する画像特定情報データを取りだして、該画像特定情報データで前記受像支持体の非記録部に記録することを特徴とする。
【０００９】
【発明の実施の形態】
図１は、本記録方法によってガラス基板または受像フィルム（以後、まとめて「受像支持体」と言う。）に記録される記録パターンの一例を示すもので、液晶用カラーフィルタの例を示している。
液晶用カラーフィルタに印刷されるストライプ幅は、例えば、５〜１０００μｍ、液晶用カラーフィルタでは３０〜３００μｍ、ストライプ長さは、全幅の場合、２〜７０インチ（対角）、短冊パターンの場合、長さ；５０〜２０００μｍとなっている。
したがって、記録する場所は、カラーフィルタの余白部か、カラーフィルタ内の表示部以外の場所が適当である。
大サイズ基板（例えば、縦横１×１ｍ等）に、携帯電話用の小さいパターンを多面取りする場合は、ロット番号は同じでシリアル番号が異なるようにしたり、多面取りの位置を記録したりするのも良い。
【００１０】
図２はこのような大サイズ基板を示している。
図２において、図１のパターンが多数（図では１６枚）枚のガラス基板（画像支持体）の上に記録されている。そしてパターンの他に、本発明によって同時に記録される画像特定情報が各画像の上部余白部分に記録されているのが見られる。
画像特定情報の例として、ここでは次のａ〜ｃが記録されている。
ａ．Ｌｏｔ番号、例えば「ＡＢＣ１２３４」。
ｂ．Ｓ／Ｎ情報、例えば「ＤＥＦ５６７８」。
ｃ．Ｐｏｓ（位置）情報、ここではＸＹ位置を示す。すなわち、右上（Ｐｏｓ．１１）から下へ進み、次に１つ左上へ進み、最後は左下（Ｐｏｓ．４４）で終了する。
また、図において、破線は最終的な割断位置を模式的に示すものである（実際には線は無い場合が多く、あっても交点部分に記録される「十」字マークのみの場合が多い。）。
【００１１】
（第１の実施装置）
ガラス基板または受像フィルムが非可撓体の場合は、本出願人の先願に係る特願２００１−１８９９１３号発明の記録装置を用いるのがよい。
図３はその特願２００１−１８９９１３号の発明に係る記録装置の平面図、図４は正面図である。
図３および図４において、記録装置２１は、その主要な構成として、ガラス基板のような非可撓体（以下、非可撓体と呼ぶ。）２３を保持し且つ非可撓体２３の記録面２５と平行な面に沿って移動自在なステージ２７と、スタンバイ位置６５又は記録原点位置６９のいずれかの位置に移動してレーザービームを出射させて形成した複数のスポットで画像を記録する記録ヘッド２９と、ステージ２７に保持した非可撓体２３に、記録媒体（受像フィルム又は転写フィルム）を供給する記録媒体供給部３１と、記録媒体を押圧して非可撓体２３の記録面２５に密着させる加圧ローラ（図示なし）と、記録媒体を非可撓体２３から剥離する剥離手段（図示なし）とを有している。
【００１２】
さらに、記録装置２１は、これら主要構成に加えて、非可撓体２３を積層して載置する非可撓体供給部３３と、非可撓体供給部３３から非可撓体２３をステージ２７へ搬送する後述の搬入機構４９と、画像の転写された非可撓体２３をステージ２７から排出する排出機構５１と、排出機構５１によって排出した非可撓体２３を積層して載置する非可撓体受部３５とを付設している。また、３７（図３）は、使用済みの記録媒体を廃棄する廃棄箱を示す。そして記録装置２１は、ステージ２７、記録ヘッド２９を有する記録部３９と、記録媒体供給部３１との外周を、レーザ漏出防止の安全上の観点から遮蔽フレーム４１により覆っている。
液晶用ブラックストライプ、又は液晶用カラーフィルタを形成する目的で本記録装置２１を用いる場合には、少なくとも記録装置２１の本体と、非可撓体供給部３３、非可撓体受部３５をクリーンルーム内に設置する。
【００１３】
非可撓体供給部３３は、複数の非可撓体２３を所定間隔で積層して載置する。通常、非可撓体２３は、埃等が降り積もらないようにするため、記録面２５が下側となるようにして載置する。
記録装置２１は、非可撓体供給部３３とステージ２７との間に搬入機構４９を有している。また、記録装置２１は、ステージ２７と非可撓体受部３５との間に排出機構５１を有している。これらの搬入機構４９及び排出機構５１は、非可撓体２３を保持するための真空吸引方式の吸盤５３を有している。吸盤５３は、少なくとも３個以上設け、好ましくは４個とする。それぞれの吸盤５３には図示しないエア配管を接続し、このエア配管の端部には真空ポンプやブロア等の吸引源５５を接続する。なお、吸盤の数は、非可撓体２３のサイズ等により、必要に応じて増やしてもよい
【００１４】
搬入機構４９及び排出機構５１は、吸盤５３を基台５７に取り付けている。基台５７は、図示しないスライドレール又はガイド溝によって、ステージ２７と、搬入機構４９又は排出機構５１との間を往復できるようになっている。この基台５７は、電動モータ、エアシリンダ、油圧シリンダ等のいずれかの駆動源を用いて駆動させる。
記録装置２１の本体は、記録ヘッド２９の画像形成回路、記録ヘッド２９の駆動モータ、ステージ２７の駆動モータ、搬入機構４９、排出機構５１、吸引源５５等を制御するコントローラ５９と、このコントローラ５９や吸引源５５並びに各駆動モータ等へ電源を供給する電源６１を備えている。また、記録装置２１は、コントローラ５９とホストコンピュータ６３とを通信線で接続し、画像形成制御、非可撓体２３の供給及び排出等の制御が制御信号の送受信によって行えるようになっている。
また、記録装置２１には、画像データを記憶する画像メモリの他に、各画像を特定する画像特定情報データを記憶する画像特定情報データメモリが本発明により設けられている。記録時に、記録装置２１は、記録部３９に対して画像データの他に、各画像を特定する画像特定情報データも送信する。
【００１５】
次に、非可撓体供給部３３から非可撓体２３を取り出してステージ２７へ搬入する動作について説明する。記録装置２１の本体において、記録ヘッド２９は、ステージ２７上から記録ヘッドスタンバイ位置６５へ退避させておく。また、ステージ２７は、非可撓体２３の供給位置に移動させておく。ここで、記録部３９は中心位置が記録ヘッド２９の記録原点位置６９（図３）となる。また、ステージ２７の移動範囲は、記録原点位置６９を中心として、各面積がステージ２７と同面積の第一象限、第二象限、第三象限、第四象限の範囲となる。つまり、ステージ２７は、縦横サイズの二倍の距離を移動可能となっている。これにより、記録原点位置６９に位置した記録ヘッド２９は、ステージ２７上の全ての位置に相対的に走査可能となっている。
搬入機構４９は基台５７を非可撓体供給部３３の最上層に載置した非可撓体２３の上方まで略水平方向に移動させ（図４）、非可撓体２３の上方で停止させ、次いで下降させ、吸盤５３が非可撓体２３に当接したときに下降を停止する。そして、吸盤５３が非可撓体２３に当接した状態で吸引源５５（図４）を駆動させて吸盤５３に負圧を作用させ、非可撓体２３をピン４５から浮上させて吸着保持する。非可撓体２３は、吸盤５３による吸着面と反対側の面が記録面２５となる。このため、記録面２５には吸盤による吸着跡が残ることはない。
非可撓体２３を保持した基台５７は、水平方向に記録装置２１の本体側へ戻り、記録装置２１の本体手前で一旦停止する。次いで、基台５７は、搬入機構４９の上下を反転させ、記録面２５が上向きとなるようにして非可撓体２３を支持する。基台５７はこの支持姿勢のまま、遮蔽フレーム４１に形成した図示しない搬入開口部を通過して、非可撓体２３をステージ２７の上方まで搬入する。
【００１６】
ステージ２７の上面には、非可撓体２３の厚みと略同一の深さとなった平面視四角形状の凹部を形成し、この凹部に非可撓体２３を収容する。また、この凹部の底面には、非可撓体２３を支持しながら持ち上げる昇降自在な複数のピンが立設されている。凹部７１はまた直交する２つの側面のそれぞれに、対向する側面に向かって片寄せする突出自在な片寄せピンを有している。
ステージ２７は凹部の周縁及び底面に複数の吸引用孔を穿設し、この吸引用孔は吸引源５５（図４）にエア配管によって接続され、吸引用孔からエアを吸引することで非可撓体２３を凹部の底面に吸引固定するようになっている。
基台５７がステージ２７の上方で停止し下降し非可撓体２３がピンに接したときに下降を停止する。基台５７が停止するとエア配管を大気に開放し、非可撓体２３がピンにより支持される。その後、基台５７を遮蔽フレーム４１の通過開口部から記録装置２１の本体外部へと退避させる。ステージ２７は、ピン７３を下降することにより、非可撓体２３を凹部７１内に載置する。ステージ２７は、非可撓体２３が凹部７１の底面に接したなら、直交する２つの側面から片寄せピン７５を対向する側面に向かって移動させる。これにより、非可撓体２３は直交する２つの側面が、凹部の直交する２つの側面に当接し、ＸＹ方向の位置決めが行われる。
【００１７】
次いで、ステージ２７は、吸引源５５によって吸引用孔７７からエアを吸気し、非可撓体２３を凹部７１内の底面に吸引固定する。これにより、非可撓体２３のステージ２７への保持が完了する。
次に、ステージに保持された非可撓体に対して後述するようにして画像記録が行われ、その後これと同じ行程を逆に行って、非可撓体受部３５へ移される。
【００１８】
以上のように、この発明に係る記録方法によれば、非可撓体供給部からステージ上に供給した非可撓体に、転写フィルムを密着させ、レーザービームで転写フィルムに画像を記録し、転写フィルムを非可撓体から剥離することで非可撓体の記録面にこの画像を転写できるので、ガラス基板のような折り曲げることのできない非可撓体に高画質な画像を記録することができる。
【００１９】
ここで、ステージに保持された非可撓体に対して画像記録を行なうシステムについて概要を説明する。
図５は図４の記録部３９の拡大斜視図、図６は図５の記録装置に使用される非可撓体と転写フィルムの断面図、図７は図５の記録装置が行う記録工程を概念的に示す説明図である。
【００２０】
図５において、記録部３９は記録ヘッド２９とステージ２７を有し、ステージ２７は平面状をしており、この上に非可撓体２３が保持される。記録装置３９においては、記録ヘッド２９が平面のＸ方向とＹ方向に移動可能であり、ここではＸ方向が主走査方向、Ｙ方向が副走査方向となる。ステージ２７の表面には複数の孔部（図示なし）が形成されている。この孔部は前述のようにブロアや真空ポンプ等の吸引装置に接続されている。
なお、ここでは記録ヘッド２９が平面のＸ方向とＹ方向に移動可能であるとしたが、本発明はこれに限られるものではなく、逆にステージ２７を移動可能にしてもよい。要するに、Ｘ方向やＹ方向の動きは、記録ヘッド２９と非可撓体２３／ステージ２７が相対的に移動できればよい。
記録ヘッドはレーザ光の単独スポットを用いているが、複数スポットを備えるものでももちろんよい。また、記録ヘッドはレーザ方式に限らず、サーマルヘッド式でも良い。
記録媒体は、ヒートモードの他に光熱変換層を有しないフォトンモード材料でも良く、つまり剥離現像工程が必要な記録媒体に適応可能である。
本発明によれば、記録部３９を用いてパターン形成と同時に、ロット番号やシリアル番号やバーコードや２次元バーコードなどの管理情報（画像特定情報）をも記録することを特徴とするものである。
【００２１】
図６は受像支持体１４０と転写フィルム２４０の各層構成を説明する図である。　図６において、受像支持体１４０は、支持体層１４０ａとこの上に後述のごとく形成される受像層１４０ｃとで構成される。支持体層１４０ａはここでは非可撓性であるガラス基板が用いられる。
受像層１５０ｃは、転写されるトナーを受けとめる働きを有するものであるが、必ずしも不可欠な層ではなく、受像支持体表面が転写されやすい性質を備えていれば省略することができる。
【００２２】
各転写フィルム２４０は、支持層２４０ａ、光熱変換層２４０ｂ、及びトナー層２４０ｃを有しており、支持層２４０ａの上に光熱変換層２４０ｂ、トナー層２４０ｃが順次積層されている。支持層２４０ａは、レーザ光が透過する物であれば一般的な受像支持体材料から任意なものを選択できる。例えば、ＰＥＴ（ポリエチレンテレフタレート）ベース、ＴＡＣ（トリアセチルセルロース）ベース、ＰＥＮ（ポリエチレンナフタレート）ベースなどである。
【００２３】
光熱変換層２４０ｂは、光熱変換物質、バインダー、及び必要に応じてマット剤を含有し、更に必要に応じて、その他の成分を含有する。光熱変換物質は、照射される光エネルギーを熱エネルギーに変換する機能を有する物質である。一般的には、レーザー光を吸収することのできる色素（顔料を含む。以下、同様である。）である。赤外線レーザーにより画像記録を行う場合は、光熱変換物質としては、赤外線吸収色素を用いるのが好ましい。前記色素の例としては、カーボンブラック等の黒色顔料、フタロシアニン、ナフタロシアニン等の可視から近赤外域に吸収を有する大環状化合物の顔料、光ディスク等の高密度レーザー記録のレーザー吸収材料として使用される有機染料（インドレニン染料等のシアニン染料、アントラキノン系染料、アズレン系色素、フタロシアニン系染料）、及びジチオールニッケル錯体等の有機金属化合物色素を挙げることができる。中でも、シアニン系色素は、赤外線領域の光に対して、高い吸光係数を示すので、光熱変換物質として使用すると、光熱変換層を薄層化することができ、その結果、熱転写フィルムの記録感度をより向上させることができるので好ましい。
光熱変換物質としては、色素以外にも、黒化銀等の粒子状の金属材料等、無機材料を用いることもできる。すなわち、カーボン、黒色物質、赤外線吸収色素、特定波長吸収物質など光エネルギを熱エネルギに変換する物質なら何でもよい。
【００２４】
画像形成層であるトナー層２４０ｃとしては、例えば、ブラック（Ｋ）、レッド（Ｒ）、グリーン（Ｇ）、ブルー（Ｂ）各色のトナーフィルムが用意される。その他、金色、銀色、オレンジ、グレー、ピンクなどの特色の転写フィルムを用いることもできる。
【００２５】
図７は図５の記録装置が行う記録工程を概念的に示す説明図である。
図７において、先ずステップ１において、支持体１４０ａを固定部材（ステージ２７）へ固定する。
ステップ２において、この支持体（非可撓体）１４０ａの上に受像フィルム１５０を重ねる。受像フィルム１５０は支持体１５０ａとこの支持体１５０ａの上に剥離可能に設けられた受像層１５０ｃとで構成されているので、この場合、受像フィルム１５０の受像層１５０ｃを支持体１４０ａに対向させて重ね合わせる。
ステップ３で、受像フィルム１５０と支持体１４０ａの重なった状態で、受像フィルム支持体１５０ａ側を押圧（同時に加熱の場合もある。）ローラで押圧して間の空気を除去して受像層１５０ｃと支持体１４０ａとを互いに密着させる。ただし、ステップ３は省略することもある。
ステップ４で、受像フィルム支持体１５０ａを剥離すると、受像フィルムの受像層１５０ｃが支持体１４０ａの上に残り、支持体１５０ｃに受像層１５０ｃ（図６の１４０ｃに同じ）が形成され、受像層付きガラス基板１４０（以後、単にガラス基板という。）が得られる。
ステップ５で、ブラックの（Ｋ）転写フィルム２４０をガラス基板１４０の上に転写フィルム２４０のトナー層２４０ｃ側を対向させて重ね合わせる。
次のステップ６で、加熱・加圧して転写フィルム２４０をラミネートする。このラミネート工程は、省略される場合もある。
次のステップ７で、予め与えられた画像データおよび画像特定情報データに基づいて、ガラス基板１４０上の所定箇所に画像および画像特定情報が転写出力される。ここで、与えられた画像データは、各色ごとの画像にさらに色分解されており、レーザ露光は、色分解された各色ごとの画像データに基づいて行われる。色分解後の各色別画像データに基づいて、記録ヘッド３５０は、描画用のレーザ光スポットＬｓを転写フィルム２４０に対して照射する。ガラス基板１４０に転写フィルム２４０のトナーインクが転写され、ガラス基板１４０上に像が形成される。一方、画像特定情報は、画像特定情報データに基づいていずれかの１色（例えば、Ｋ）を用いて、非画像部に記録される。
【００２６】
そしてステップ８において、（Ｋ）転写フィルム２４０が剥離されると、レーザ光が照射された（Ｋ）転写フィルム部分はガラス基板１４０に残り、非照射部分は（Ｋ）転写フィルム２４０と共に排出される。
【００２７】
ここで、全ての色、すなわちレッド（Ｒ）、グリーン（Ｇ）、ブルー（Ｂ）の転写フィルム２４０に対して、転写が終了したかどうかを判断する。そして、別の種類の転写フィルム２４０の供給が必要な場合は、上記のステップ５〜８までの処理を繰り返す。つまり、他のレッド（Ｒ）、グリーン（Ｇ）、ブルー（Ｂ）の各色の転写フィルム２４０について、ステップ９〜２０までの各動作が繰り返される。その結果、４色の転写フィルムのトナーインクＫＲＧＢが１枚のガラス基板１４０に転写され、ガラス基板１４０上にカラー画像が形成される。
【００２８】
上記処理が終了すると、最後の転写フィルム２４０に対するレーザ露光が終了したことが判断される。
そして、ガラス基板１４０が、固定部材から剥離され、記録装置外へ排出される。
このようにして、例えばステップ７でガラス基板上に画像（例えば、ストライプ）の他に、その画像を特定する特定情報（例えば、ロット番号、シリアル番号、バーコード）も黒色で同時に記録することとなる。
【００２９】
（第２の実施装置）
ところで、従来より「ガラス基板は曲がらないもの」（非可撓体）と思われていたので、これを曲げた状態で記録することなどは全く念頭になかった。また、ガラス基板がある程度曲がりうることを知っていた専門家がいても、わざわざ曲げた状態で記録することのメリットに十分気がついていなかったので、敢えてそのような割れるかも知れない危険負担を押して円筒ドラムに装着するといった挙行は行わなかった。
ところが本出願人は液晶用カラーフィルタに用いるようなガラス基板であれば、十分に屈曲に耐えるものであることを見いだし、したがってガラス基板を円筒状支持体に固定した状態で記録をすることが可能となり、しかも、それによって第１の実施装置のような大がかりな装置が必要でなくなり、大幅なコストダウンに繋がることのメリットを見いだ出した。
【００３０】
以下、第２の実施装置により、画像を記録すると共に、画像を特定する画像特定情報をも受像支持体の非記録部分に同時に記録する実施例について説明する。
図８は円筒状支持体にガラス基板を固定して記録する記録装置の１例を全体概略で示す構成図、図９は図８の記録部の拡大斜視図である。
【００３１】
図８に示すように、記録装置１０は、ガラス基板供給部１００と、転写フィルム供給部２００と、記録部３００と、排出部４００とを備える。また、記録装置１０は、本体カバー５１０によって表面を覆われ、脚部５２０によって支えられている。
【００３２】
記録装置１０において、ガラス基板供給部１００は、記録部３００に対してガラス基板を供給する。また転写フィルム供給部２００は、複数の種類の転写フィルムを供給することが可能であり、記録部３００に対して複数の種類の転写フィルムの中から１種類の転写フィルム（例えば、Ｋ（黒））を選択的に供給することができる。記録部３００においては、記録媒体固定部材であるドラム３１０に巻き付けられたガラス基板の上に、さらに転写フィルムが重ねて巻き付けられる。そして、ガラス基板上に転写フィルムが重ねられた記録媒体に対して、記録したい画像情報に基づいてレーザ露光を行うと共に図２のようにその画像を特定する画像特定情報をガラス基板の非記録部分に同時に記録する。レーザ露光により加熱された部分の転写フィルムのトナーが接着性劣化、溶融或いは昇華によりガラス基板に付着して転写されることによって、ガラス基板上に像が形成される。さらに、同一のガラス基板に対して、異なる複数色（例えば、Ｒ（赤）、Ｇ（緑）、Ｂ（青）、Ｋ（黒））の転写フィルムのトナーが付着することによって、ガラス基板上にカラー画像を形成することができる。これは、後述するように、ガラス基板をドラム３１０に巻き付けたまま、露光済みの転写フィルムを別色の転写フィルムに順次交換してレーザ露光することによって達成される。
この画像が形成されたガラス基板は、排出部４００を経由して排出され、本記録装置から取り出される。以上が記録装置１０の概略である。
【００３３】
次に、ガラス基板供給部１００、転写フィルム供給部２００、記録部３００、排出部４００のそれぞれについて順を追って詳しく説明する。
ガラス基板供給部１００はガラス基板収納カセット１３０を有している。ガラス基板収納カセット１３０は、底面にバネ等があってガラス基板を供給口まで押し上げるようにしている。これにより常時最上のガラス基板が供給口から取り出しピックアップローラ（図示なし。）の回転により１枚だけ取り出され、搬送用ローラ１５４側へ送られる。
ガラス基板収納カセット１３０には、供給口の反対側にガラス基板押出機構があって、最上のガラス基板１枚だけを供給口側に押し出すようにしてもよい。
あるいは、先行発明で説明したような吸盤搬送機構を用いるようにしてもよい。
【００３４】
ガラス基板供給部１００は、さらに、ガラス基板搬送部１５１を有している。ガラス基板搬送部１５０は、モータ（図示なし）と、駆動伝達用のベルト又は
チェーン（図示なし）と、搬送用ローラ１５４、１５５と、支持ガイド１５６と、ガラス基板の端点を検出する検出センサ（図示なし）とを有している。
搬送用ローラ１５４及び搬送用ローラ１５５はそれぞれ一対のローラを有している。このような駆動機構によって、ガラス基板１４０を記録部３００の方へ送出あるいは記録部３００から戻したりすることができる。
【００３５】
先ず、ガラス基板収納カセット１３０の先端部が搬送用ローラ１５４に挟まれた状態で、モータなどの前述の駆動機構によってガラス基板１４０が引き出される。これによって、ガラス基板収納カセット１３０から最上のガラス基板１４０が１枚繰り出されていく。ガラス基板１４０はさらに搬送用ローラ１５５に挟まれ、支持ガイド１５６に案内されて搬送される。
【００３６】
次に、転写フィルム供給部２００について説明する。
転写フィルム供給部２００は回転ラック２１０を有している。この回転ラック２１０は後述するように回転軸２１３を中心に回転駆動される。また、回転ラック２１０には、複数（図では６個）の転写フィルムロール２３０が収容されており回転軸２１３を中心にして「放射状」に配置されている。
各転写フィルムロール２３０は、芯とそれに巻回される転写フィルム２４０と、芯の両側から差し込まれるフランジ（図示なし）とを有している。各々の転写フィルムロール２３０は各芯を中心に回転自在に保持されている。フランジの外径は転写フィルム部分の径よりも大とすることで、転写フィルム部分が崩れないようになっている。
【００３７】
各転写フィルム２４０は図６で説明したとおりであり、ここでの説明は省略する。
転写フィルムロール２３０においては、トナー層２４０ｃが支持層２４０ａに対して外側になるように巻回されている（以下、このように巻かれた転写フィルムロールを「外巻き」の転写フィルムロールという）。後述するように、トナー層２４０ｃはトナーインクを有しており、このトナーインクがレーザ露光によりガラス基板に転写される。
【００３８】
図８では、６つの転写フィルムロール２３０が回転ラック２１０内に収容されている場合が示されている。この６種類の転写フィルムとしては、例えば、ブラック、レッド、グリーン、ブルーの４色の転写フィルムと２色（例えば金色、銀色など）の特色の転写フィルムとを用いることができる。
【００３９】
回転ラック２１０は、さらに、これらの複数の転写フィルムロール２３０のそれぞれに対応して、それぞれ転写フィルム繰出し機構２５０を有しており、この転写フィルム繰出し機構２５０はフィードローラ２５４と支持ガイド２５６とから成っている。図においては、６つの転写フィルム繰出し機構２５０が設けられている。フィードローラ２５４はローラ２５４ａ、２５４ｂを有している。ローラ２５４ａはギア機構によってモータと接続されており、モータによって駆動される。ローラ２５４ａはローラ２５４ｂとの間で所定の圧力で転写フィルム２４０を挟み込むことができる。そして、ローラ２５４ｂは、ローラ２５４ａの回転とは逆向きに回転することによって、転写フィルム２４０を搬送する。転写フィルム２４０は、ローラ２５４ａ、２５４ｂによって挟持され、送り出されたり或いは逆に戻されたりすることが可能である。また転写フィルム２４０の搬送に伴って、転写フィルムロール２３０が回転する。
【００４０】
このような構造を有する転写フィルム繰出し機構２５０によって、転写フィルム２４０が記録部３００に対して供給される。転写フィルム２４０の先端がフィードローラ２５４に挟まれた状態において、モータなどの駆動機構によってフィードローラ２５４を駆動する。この駆動により転写フィルム２４０は繰り出されていく。また転写フィルム２４０は、さらに後述の転写フィルム搬送部２７０において、所定長さに切断されて記録部３００に対して供給される。
以上のように、複数の転写フィルムロール２３０を収容する回転ラック２１０は、所望の種類の転写フィルム２４０を転写フィルム搬送部２７０に対して選択的に供給することができる。
【００４１】
転写フィルム供給部２００は、さらに、転写フィルム搬送部２７０を有している。転写フィルム搬送部２７０は、モータ（図示なし）と、駆動伝達用のベルト又はチェーン（図示なし）と、搬送用ローラ２７４、２７５と、ガイド２７６と、転写フィルム切断部２８０と、転写フィルムの端を検出する検出センサ（図示なし）とを有している。搬送用ローラ２７４及び２７５は、それぞれ一対のローラを有している。ローラ２７４及び２７５は、駆動伝達用のベルト又はチェーンによってモータと接続されており、モータによって駆動されて、転写フィルム２４０を搬送する。
【００４２】
このような駆動機構によって、転写フィルム２４０を記録部３００の方へ送出したり、或いは逆に戻したりすることができる。また、このようにして搬送された転写フィルム２４０は、転写フィルム切断部２８０によって所定の長さに切断される。転写フィルム２４０の長さの測定には、検出センサが利用される。転写フィルム２４０の端を検出センサにより検出し、モータの回転数などを考慮することなどによって、長さを測定することができる。転写フィルム２４０は、この測定結果に基づいて所定の長さに切断され、記録部３００へと供給される。転写フィルム切断部２８０は、図示しないがカッタと支持部とガイド等を有する。
以上のようにして、転写フィルム供給部２００は、転写フィルムロール２３０の一部を繰り出して切断することによって、所定の長さの転写フィルム２４０を記録部３００に対して供給することができる。
【００４３】
転写フィルム２４０が消耗されると、使用済みの転写フィルムロール２３０を取り外して、新しい転写フィルム２４０と交換する必要がある。
この転写フィルムロール２３０の交換は、蓋５１１を開けて行うことができる。この際には、回転ラック２１０を回転させることにより、交換対象の転写フィルムロール２３０を、蓋５１１に対応する所定の交換位置に移動させておく。一方、ガラス基板収納カセット１３０の交換も、蓋５１１を開けることによって行う。
【００４４】
次に、記録部３００について説明する。
記録部３００はドラム３１０を有する。図９に示すように、ドラム３１０は中空の円筒形状を有しており、フレーム３２０に回転自在に保持されている。本記録装置１０においては、このドラム３１０の回転方向が主走査方向となる。ドラム３１０はモータの回転軸に連結されてモータによって回転駆動される。ドラム３１０の表面には複数の孔部が形成されている。この孔部は図示しないブロアや真空ポンプ等の吸引装置に接続されている。
前述のガラス基板１４０及び転写フィルム２４０をドラム３１０上に載置して吸引装置を作動させると、これらのフィルムはドラム３１０に吸着される。
【００４５】
また、ドラム３１０は複数の溝部（図示なし）を有しており、この複数の溝部はドラム３１０の回転軸と平行に、且つ一直線上に設けられている。また、ドラム３１０の上方において、複数の剥離爪（図示なし）がドラム３１０の回転軸と平行に、且つ一直線上に設けられている。
【００４６】
さらに、記録部３００は記録ヘッド３５０を有する。記録ヘッド３５０はレーザ光Ｌｂを出射することができる。このレーザ光Ｌｂが照射された位置の転写フィルム２４０のトナーインクは、ガラス基板１４０の表面に転写される。また、記録ヘッド３５０は、図示しない駆動機構によって、ガイドレール３２２に沿ってドラム３１０の回転軸に平行な方向に直線的に移動することができる。本記録装置１０においては、この移動方向が副走査方向となる。従って、ドラム３１０の回転運動と記録ヘッド３５０の直線移動との組合せによって、ガラス基板１４０を覆う転写フィルム２４０上の所望の位置をレーザ露光することが可能である。よって、描画用のレーザ光Ｌｂで転写フィルム２４０上を走査して、画像情報に基づいて対応する位置のみをレーザ露光することによって、所望の画像をガラス基板１４０に転写することができる。
【００４７】
次にこの剥離動作について説明する。
先ず、ドラム３１０を剥離のための所定の位置まで回転させる。そして、前述の剥離爪の先端部の位置をドラム３１０に接触しない待機位置からドラム３１０に接触する位置へと移動する。この移動の際には、剥離爪の先端部が転写フィルム２４０の上には接触しないようにする。ドラム３１０の回転に伴い、剥離爪はドラム３１０上をドラム３１０の表面に沿って周方向に相対的に移動する。剥離爪の先端部は、溝部の形状に沿ってドラム３１０の表面を相対的に移動して転写フィルム２４０の下側に潜り込む。転写フィルム２４０は剥離爪の上面に沿って移動する。転写フィルム２４０はドラム３１０から剥離される。
【００４８】
そして、剥離爪は、ガラス基板１４０に接触する前にさらにドラム３１０から離反する方向に上昇して、待機位置にまで移動する。転写フィルム２４０は先端部が剥離されたのち、引き続きドラム３１０が回転することによって、転写フィルム２４０は、さらにドラム３１０及びガラス基板１４０から剥離される。なお、この際、ガラス基板１４０は吸引装置の吸引力によってドラム３１０に吸着されたままであるので、転写フィルム２４０のみを剥離することができる。
以上の動作によって剥離された転写フィルム２４０は、さらに、後述の排出部４００を経由して装置外部へと排出される。
【００４９】
次に、ドラム３１０に巻き付けられたままのガラス基板１４０の上に、別色の転写フィルム２４０が上述した手順で巻き付けられる。そして、上述の動作によって、レーザ露光によって、ガラス基板１４０に転写フィルム２４０のトナーインクが転写された後、転写フィルム２４０を剥離して排出する。
同様の動作が、所定の複数の種類の転写フィルム２４０に対して繰り返される。例えば、Ｋ、Ｒ、Ｇ、Ｂの４種類の転写フィルム２４０に対して、上記動作が繰り返されることによって、ガラス基板１４０にカラー画像が転写される。
最後に、このようにして複数の種類のトナーインクが転写されたガラス基板１４０が剥離される。ガラス基板１４０の剥離は、転写フィルム２４０の剥離と同様にして行われる。この際、剥離爪は、複数の溝部に対して接近してガラス基板１４０をドラム３１０から剥離する。また剥離爪は転写フィルム２４０を剥離する際と同一のものを利用することができるので、構造を単純化することができる。従って、機械の信頼性を向上することができる。
上記のようにして剥離されたガラス基板１４０は、排出部４００へと排出されていく。
【００５０】
次に、排出部４００について説明する。
排出部４００は、フィルム共通搬送部４１０と、転写フィルム排出部４４０と、ガラス基板排出部４５０とを有する。
フィルム共通搬送部４１０は、モータ（図示なし）と、駆動伝達用のベルト又はチェーン（図示なし）と、搬送用ローラ４１４、４１５、４１６と、支持ガイド４１８、４１９と、検出センサ（図示なし）とを有している。また、フィルム共通搬送部４１０は、さらに、可動ガイド部を有しており、これはガイドプレート４３８と、図示しない駆動機構とから成っている。ガイドプレート４３８は、駆動機構によって、後述する２つの位置の間を移動することができる。
【００５１】
転写フィルム排出部４４０は、処理済みの転写フィルム２４０を転写フィルム回収箱５４０に排出するためのものである。
ガラス基板排出部４５０は、ガラス基板排出口４５１と、ローラ４５４、４５５と、ガイド４５８とを有する。画像が転写されたガラス基板１４０は、ガラス基板排出部４５０を経由して、トレー５５０に排出される。
各搬送用ローラ４１４、４１５、４１６、４５４、４５５は、前述のその他の搬送用ローラと同様に、２つのローラを１組として構成されており、２つのローラで挟んで回転することによって、ガラス基板１４０及び転写フィルム２４０を搬送することが可能である。
このような機構を有する排出部４００は、ガラス基板１４０の排出と転写フィルム２４０の排出とを次のような動作で行なっている。
【００５２】
先ず、転写フィルム２４０の排出について説明する。
記録部３００においてレーザ露光され不要となった転写フィルム２４０は、前述したようにしてドラム３１０から剥離される。剥離された転写フィルム２４０は、剥離爪、支持ガイド４１８、４１９、ガイドプレート４３８によって支持されつつ、搬送用ローラ４１４、４１５、４１６によって挟持されて送り出されることによって搬送される。
【００５３】
次に、ガラス基板１４０の排出について説明する。
ガラス基板１４０は、記録部３００でトナーインクが転写されて処理が行われた後、前述したようにして、ドラム３１０から剥離される。剥離されたガラス基板１４０は、剥離爪、支持ガイド４１８、４１９、ガイドプレート４３８によって支持されつつ、搬送用ローラ４１４、４１５、４１６によって挟持され、送り出されることによって搬送される。
【００５４】
なお、このフィルム共通搬送部４１０は転写フィルム２４０が排出される場合と共通であり、それぞれのフィルムに対して搬送部を設ける場合に比べて構造を簡単化することができる。なお、フィルム共通搬送部４１０において、転写フィルム２４０はトナー層を下側にして搬送され、ガラス基板１４０は受像層を上側にして搬送する。従って、同一の搬送路を利用して、順次、ガラス基板１４０及び転写フィルム２４０を搬送しても、ガラス基板１４０の受像層上に形成された画像が汚染されるおそれはない。
【００５５】
ガラス基板１４０は、搬送用ローラ４１４、４１５、４１６によって搬送されて、一旦、装置の外部へと排出される。ただし、ガラス基板１４０は、その全てが外部へ排出されるのではない。ガラス基板１４０の後端部がガイドプレート４３８上に存在し搬送用ローラ４１６に挟持されている状態において、モータによる駆動を一旦停止し、そして、モータを逆回転することによって、ガラス基板１４０をガラス基板排出口４５１方向に引き戻す。即ち「スイッチバック」動作を行う。上記駆動停止のタイミングは検出センサの信号を用いて決定される。検出センサはガラス基板１４０の後端が検出センサの位置を通過したことを検出し、その後、ガラス基板１４０が搬送されて所定の位置にまで達した時点でモータの駆動を停止する。
【００５６】
ここで、所定の位置とはガラス基板１４０の後端部がガイドプレート４３８上に存在し、且つ搬送用ローラ４１６に挟持されている状態にある位置を意味する。ガラス基板１４０がこの位置に至るまでの所定の距離を移動したかどうかは、検出センサによる後端検出時点からのモータの回転パルス数などから判断することができる。
【００５７】
可動ガイド部のガイドプレート４３８は、図示しない駆動機構によって駆動され、図に示す破線／実線の間を移動することができる。この駆動機構によりガイドプレート４３８は移動する。そして、停止していたモータが逆回転することによって、各搬送用ローラ４１６、４５４、４５５などを逆向きに駆動する。この逆回転によって、ガラス基板１４０は引き戻される。そして、ガラス基板１４０は、さらにガイド４５８に支持されつつ、搬送用ローラ４５４、４５５によって搬送されて、トレー５５０へと送り出される。トレー５５０に送出されたガラス基板は、前述したように、本記録装置１０から取り出された後、ベーク処理等が行われる。
【００５８】
上記の動作は制御部（図示なし）によって制御される。
制御部は、ガラス基板供給部１００、転写フィルム供給部２００、記録部３００、排出部４００などを制御する。制御部は、上記各部において、モータなどを有する駆動部を制御し、特に記録部３００においては、吸引装置などのエア部や、画像データを処理する画像処理部などをさらに制御する。また転写フィルム供給部２００の駆動部は、回転ラック２１０の回転駆動系と転写フィルムロール２３０から転写フィルム２４０をドラム３１０に対して提供するフィルム搬送駆動系との２つの駆動系を有する。このうち、フィルム搬送駆動系のモータ駆動に関しては、前述したようにモータ駆動用のドライバを複数の転写フィルム繰出し機構について共用している。駆動回路系を簡略化している。
【００５９】
ガラス基板１４０は、図６に示すように、ガラス支持層１４０ａとその上に受像層１４０ｃを有しているので、ガラス基板収納カセット１３０においては、受像層１４０ｃが支持層１４０ａに対して外側になるように積み重ねられている。
【００６０】
上記のような記録装置１０によって、所望のカラー画像およびその特定情報をガラス基板１４０上に形成することが可能である。
Ｋ、Ｒ、Ｇ、Ｂの４色を用いてカラー画像を形成する場合について動作手順は原則図７の動作手順と同じであり（違うのはガラス基板の固定の仕方だけである。）、動作手順の説明は省略する。ただし、ここで重要なのは、図７のステップ７でガラス基板上に画像（例えば、ストライプ）の他に、その画像を特定する特定情報（例えば、ロット番号、シリアル番号、バーコード）も同時に記録することである。
【００６１】
以上のように、第２の実施装置によれば、ガラス基板を円筒状支持体上に固定し、該円筒状支持体を回転させ（主走査）、レーザ記録ヘッドを前記円筒状支持体軸方向に移動させ（副走査）、前記レーザ記録ヘッドから画像様にレーザ光を変調制御して前記ガラス基板上に画像（例えば、図１のような液晶用のカラーストライプ）を記録すると共に、その画像を特定する画像特定情報をも同時に記録するようにしたので、平面記録装置に比べ装置コストが格段に安くなり（平面記録装置の１／１０〜１／２０となる。）、低コストでありながら、高精度が得られ、従来より印刷分野等で用いられている、ＣＴＰ（Ｃｏｍｐｕｔｅｒ　Ｔｏ　Ｐｌａｔｅ）やＤＤＣＰ装置をそのまま応用可能なので、開発期間／開発費用を少なくできる、といった効果がある。
【００６２】
以上は、ガラス基板上への記録で説明したが、本装置はもちろんガラス基板の使用に限定されるものではなく、従来公知のＰＥＴ基板の記録媒体上への記録にも用いて良いことは言うまでもない。ただし、その場合は、図８の「ガラス基板収納カセット１３０」に替えて「ＰＥＴ基板フィルムロール」がその場所に取りつけられ、転写フィルムロール２３０の場合と同様に、所望の長さだけカットされて、記録ドラム３１０に固定されるようにするのがよい。
【００６３】
【発明の効果】
以上のように、本発明によれば、ガラス基板や記録フィルムを固定部材上に固定し、固定部材とレーザ記録ヘッドを相対移動させ、レーザ記録ヘッドから画像様にレーザ光を変調制御してガラス基板や記録フィルム上に画像を記録すると共に、その画像の特定情報をも同時に記録するようにしたので、別のレーザマーカ等を使用する必要もなく、また現像前に入れ替え可能なマスクを使用する必要もないロット番号等の記録がなされることとなる。
また、このような液晶フィルタ用のガラス基板へロット番号等の記録を行う際に、特に第２の実施装置を用いて行えば平面記録装置に比べ装置コストが格段に安くなり、しかも高精度が得られる、といった効果がある。、
【図面の簡単な説明】
【図１】本記録方法によってガラス基板に記録される記録パターンの一例を示すもので、液晶用カラーフィルタの例を示している。
【図２】大サイズ基板に図１のパターンと本発明の画像特定情報が記録されている状態を示す平面図である。
【図３】本発明に使用される記録装置の平面図である。
【図４】図３の記録装置の正面図である。
【図５】非可撓体であるガラス基板に記録する記録装置の１例を全体概略で示す構成図である。
【図６】図５の記録装置に使用されるガラス基板と転写フィルムの断面図である。
【図７】図５の記録装置が行う記録工程を概念的に示す説明図である。
【図８】円筒状支持体にガラス基板を固定して記録する本発明の記録装置の１例を全体概略で示す構成図である。
【図９】図８の記録部の拡大斜視図である。
【符号の説明】
１０　記録装置
２１　記録装置
２３　非可撓体
２５　記録面
２７　移動自在なステージ
２９　記録ヘッド
３１　記録媒体供給部
３３　非可撓体供給部
３５　非可撓体受部
３７　廃棄箱
３９　記録部
４１　遮蔽フレーム
４９　搬入機構
５１　排出機構
５３　真空吸引方式吸盤
５５　吸引源
５７　基台
５９　コントローラ
６５　記録ヘッドスタンバイ位置
６９　記録原点位置
７１　凹部
７５　片寄せピン
７７　吸引用孔
１００　ガラス基板供給部
１３０　ガラス基板収納カセット
１４０　受像層付きガラス基板
１４０ａ　ガラス基板
１４０ｃ　受像層
１５０　受像フィルム
１５０ａ　支持体
１５０ｃ　受像層
１５１　ガラス基板搬送部
１５４、１５５　搬送用ローラ
１５６　支持ガイド
２００　転写フィルム供給部
２１０　回転ラック
２１１、２１２　円盤
２１３　回転軸
２３０　転写フィルムロール
２４０　転写フィルム
２４０ａ　支持層
２４０ｂ　光熱変換層
２４０ｃ　トナー層
２５０　転写フィルム繰出し機構
２５４　フィードローラ
２５６　支持ガイド
２７０　転写フィルム搬送部
２７４、２７５　搬送用ローラ
２７６　ガイド
２８０　転写フィルム切断部
３００　記録部
３１０　ドラム
３５０　記録ヘッド
４００　排出部
４１０　フィルム共通搬送部
４１４、４１５、４１６　搬送用ローラ
４１８、４１９　支持ガイド
４３８　ガイドプレート
４４０　転写フィルム排出部
４５０　ガラス基板排出部
４５１　ガラス基板排出口
４５４、４５５　ローラ
４５８　ガイド
５１０　本体カバー
５１１　蓋
５２０　脚部
５４０　転写フィルム回収箱
５５０　トレー
【図１】
2004098560.tif 000003
【図２】
2004098560.tif 000004
【図３】
2004098560.tif 000005
【図４】
2004098560.tif 000006
【図５】
2004098560.tif 000007
【図６】
2004098560.tif 000008
【図７】
2004098560.tif 000009
【図８】
2004098560.tif 000010
【図９】
2004098560.tif 000011